(57)【特許請求の範囲】
【請求項１】
取付基体から起立した水栓本体のホルダ部により吐水ヘッドを可撓性のホースとともに引出可能に保持するホース収納水栓の前記水栓本体から固定用軸体を延び出させ、該固定用軸体を前記取付基体を下向きに貫通する状態に取付穴に挿通するとともに、該取付基体の裏面に着座せしめられる固定具にて該固定用軸体を該取付基体に固定し、前記水栓本体を該取付基体に取付固定するホース収納水栓の取付構造において、
前記取付基体を前記取付穴において下向きに貫通し、内側の空間に前記ホースを挿通させて該ホースを移動案内する、非通水管としての中空軸体をなすホースガイド管を前記固定用軸体として用い、該ホースガイド管を前記固定具により前記取付基体に固定して、前記水栓本体の取付固定をなすようにし、
該固定具の該取付基体への固定は、該固定具とは別体をなす締付ナットを該固定具の下側で前記ホースガイド管の外周面の雄ねじ部に螺合し、該締付ナットにて該固定具を前記取付基体の裏面に締め付けて行うようにするとともに、
前記取付基体の下側で、前記ホースガイド管よりも管径の大きな補助ガイド管を、該補助ガイド管が前記ホースガイド管よりも下方に突き出す状態に接続し、前記取付基体の下側で該補助ガイド管により前記ホースの出し入れの際の案内を補助するようになし、且つ前記締付ナットを該補助ガイド管を兼ねて構成してあることを特徴とするホース収納水栓の取付構造。
【請求項２】
請求項１において、前記補助ガイド管の下端部には、内方に湾曲した形状で膨出した、周方向に環状をなすガイド部が設けてあることを特徴とするホース収納水栓の取付構造。
【発明の詳細な説明】
【技術分野】
【０００１】
この発明は、吐水ヘッドを可撓性のホースとともに引出可能となしてあるホース収納水栓の取付構造に関し、詳しくはカウンター等の取付基体の裏面に着座せしめられる固定具を用いた取付構造に関する。
【背景技術】
【０００２】
水栓の取付構造として、カウンター（取付基体）の裏面に着座せしめられる馬蹄形の固定金具（固定具）を用いたものが従来から広く実施されている。
この馬蹄形の固定金具を用いた取付構造として従来一般的なのは、カウンターから起立する水栓本体から固定専用の固定用軸体を延び出させて、これをカウンターを下向きに貫通する状態に取付穴に挿通し、そしてカウンターの下側で固定用軸体を馬蹄形の固定金具の挿通孔に挿通した上、固定金具の下側で締付ナットを固定用軸体の外周面の雄ねじに螺合し、そして締付ナットのねじ込みにより、固定金具をカウンター裏面に締め付けて、固定用軸体を介し水栓本体をカウンターに取付固定するといったものである。
【０００３】
ところで、水栓の一種として水栓本体のホルダ部により、吐水ヘッドを可撓性のホースとともに引出可能に保持するようになしたホース収納水栓があり、キッチン用水栓等として従来から広く用いられている。
しかしながらこのホース収納水栓にあっては、吐水ヘッドに接続されたホースを、カウンターを貫通するようにカウンターの取付穴に通す必要があり、上記馬蹄形の固定金具を用いた取付構造を適用することが難しく、一般には行われていない。
【０００４】
馬蹄形をなす固定金具を用いた水栓の取付構造では、その固定金具の一対のアームの間に形成された空間に、水栓本体への水，湯の供給用のサプライ管（給水管，給湯管）等を通し、また水栓本体からの混合水を流出させる流出管を通すようにして水栓の取付けを行うが、ホース収納水栓にあってはそれらサプライ管，流出管に加えて、通水用の太いホースを通すためのスペースを固定金具の一対のアーム間の空間に確保することが難しいからである。
【０００５】
そこで水栓本体の湯水の混合部からの混合水を流出させる流出管を、カウンターを貫通して下側まで延ばし、それを固定用軸体として用いることで、馬蹄形の固定金具を用いて水栓をカウンターに取付固定するようになした水栓の取付構造が下記特許文献１，特許文献２に開示されている。
【０００６】
しかしながらこの取付構造の場合、通水用の流出管を固定用軸体として固定金具によりカウンターに締め付け、水栓本体を取付固定したときに、その流出管に締付けの力がかかるために、流出管の水栓本体への接続部分である付根部その他の個所に局部的に無理な力が加わって、通水管としての流出管を破損してしまったり、漏水を招いたりする恐れがある。
この問題は水栓をカウンター以外の取付基体に取り付ける場合においても同様に生じ得る問題である。
【先行技術文献】
【特許文献】
【０００７】
【特許文献１】特開平８−２２６１４８号公報
【特許文献２】特開２００４−２２５５２４号公報
【発明の概要】
【発明が解決しようとする課題】
【０００８】
本発明は以上のような事情を背景とし、流出管等の通水用の配管部材を破損したり漏水を招いたりする問題を生じることなく、良好にホース収納水栓を固定具を用いてカウンター等の取付基体に取付固定することのできるホース収納水栓の取付構造を提供することを目的としてなされたものである。
【課題を解決するための手段】
【０００９】
而して請求項１のものは、取付基体から起立した水栓本体のホルダ部により吐水ヘッドを可撓性のホースとともに引出可能に保持するホース収納水栓の前記水栓本体から固定用軸体を延び出させ、該固定用軸体を前記取付基体を下向きに貫通する状態に取付穴に挿通するとともに、該取付基体の裏面に着座せしめられる固定具にて該固定用軸体を該取付基体に固定し、前記水栓本体を該取付基体に取付固定するホース収納水栓の取付構造において、前記取付基体を前記取付穴において下向きに貫通し、内側の空間に前記ホースを挿通させて該ホースを移動案内する、非通水管としての中空軸体をなすホースガイド管を前記固定用軸体として用い、該ホースガイド管を前記固定具により前記取付基体に固定して、前記水栓本体の取付固定をなすようにし、該固定具の該取付基体への固定は、該固定具とは別体をなす締付ナットを該固定具の下側で前記ホースガイド管の外周面の雄ねじ部に螺合し、該締付ナットにて該固定具を前記取付基体の裏面に締め付けて行うようにするとともに、前記取付基体の下側で、前記ホースガイド管よりも管径の大きな補助ガイド管を、該補助ガイド管が前記ホースガイド管よりも下方に突き出す状態に接続し、前記取付基体の下側で該補助ガイド管により前記ホースの出し入れの際の案内を補助するようになし、且つ前記締付ナットを該補助ガイド管を兼ねて構成してあることを特徴とする。
【００１０】
請求項２のものは、請求項１において、前記補助ガイド管の下端部には、内方に湾曲した形状で膨出した、周方向に環状をなすガイド部が設けてあることを特徴とする。
【発明の作用・効果】
【００１１】
以上のように本発明は、ホースを移動案内する非通水管としての中空軸体をなすホースガイド管を固定用軸体として用い、これを固定具により取付基体に固定し、水栓本体の取付固定をなすようにしたものである。
【００１２】
本発明はホースガイド管を水栓の固定用軸体を兼ねて構成し、水栓取付けをなすようにしたものであることから、ホースガイド管とは別途に専用の固定用軸体を設ける場合に比べて、必要な部材の点数を減らすことができるのに加えて、専用の固定用軸体を通すためのスペースを固定具に確保しておく必要がない。
その分ホースを通すためのスペースを固定具に容易に確保し得、また専用の固定用軸体を省くことができるため、固定具による水栓の取付部分をコンパクト化することができる。
尚本発明では、固定具として馬蹄形のものの他、半円形等のものを採用できる。
【００１３】
また本発明では通水用の配管部材を固定用の軸体として用いるものでないことから、固定具による固定に際して、その配管部材に無理な力が加わってこれを破損したり、更には漏水を招いたりする問題も併せて解決することができる。
【００１４】
本発明では、上記固定具そのものを締付ナットとして用い、これをホースガイド管の外周面の雄ねじにねじ込んで、ホースガイド管を取付基体に固定するのでなく、固定具とは別体をなす締付ナットを、固定具の下側でホースガイド管の外周面の雄ねじに螺合し、その締付ナットにて固定具を取付基体の裏面に締め付けて固定を行う。
【００１５】
本発明ではまた、取付基体の下側で、ホースガイド管よりも管径の大きな補助ガイド管を、かかる補助ガイド管がホースガイド管よりも下方に突き出す状態に接続し、取付基体の下側で補助ガイド管により、ホースの出し入れ時の案内を補助するようになしておく。
【００１６】
ホースガイド管は取付基体の取付穴及び固定具を貫通させる必要のあるものであり、従ってかかるホースガイド管は管径をあまり大きくすることができない。
この場合、ホースの出し入れ時において、特にホースガイド管の下端に対してホースの外面が引っ掛かったり擦れを生じたりし、更にはまたその際に異音を発したりする問題が発生する。
【００１７】
特にこの種水栓に用いられているホースはゴム等の弾性チューブの外面を蛇腹形状をなす金属管で被覆した形態のものが用いられており、その蛇腹形状をなす金属管が、ホースガイド管の下端を通ってホースガイド管に出入りする際に「ジャラジャラ」といったような不快な異音を発生させ易い。
【００１８】
しかるに取付基体の下側でホースガイド管よりも管径の大きい補助ガイド管をホースガイド管に接続し、補助ガイド管にてホースの出し入れの際の案内を補助するようになしておくことで、上記のような不具合を良好に回避することが可能となる。
【００１９】
本発明ではまた、上記締付ナットが補助ガイド管を兼用するように、これを構成しておく。
このようにすることで、水栓取付けのための所要部品点数を少なくできるとともに、取付けのための工数を少なくでき、取付作業性が良好となるとともに、水栓取付構造における取付基体の下側部分を構造簡素となし得て、これをコンパクト化することができる。
【００２０】
この場合において、補助ガイド管の下端部には、内方に湾曲した形状で膨出した、周方向に環状をなすガイド部を設けておくことが望ましい（請求項２）。
管径を大きくすることの難しいホースガイド管自体にこうしたガイド部を設けておくことは難しいが、ホースガイド管よりも管径の大きい補助ガイド管であれば、このようなガイド部を設けることは容易であり、且つそのようなガイド部を設けておくことで、補助ガイド管へのホースの出入りを、補助ガイド管へのホースの引っ掛かりや擦れ或いはその際の異音を良好に回避しつつ円滑に案内することが可能となる。
【図面の簡単な説明】
【００２１】
【図１】本発明の一実施形態であるホース収納水栓の全体斜視図である。
【図２】同実施形態のホース収納水栓の内部構造を示す断面図である。
【図３】同実施形態のホース収納水栓の取付構造を示す図である。
【図４】同実施形態における固定金具とホースガイド管との関係示す平面断面図である。
【図５】図４の固定金具とホースガイド管とを取付前の状態で示す斜視図である。
【発明を実施するための形態】
【００２２】
次に本発明の実施形態を図面に基づいて詳しく説明する。
図１において、１０はホース収納水栓（ここではシングルレバー水栓）で、１２は図２に示すカウンター（取付基体）１４から起立する水栓本体である。水栓本体１２は、湯水の混合部１６を有している。
この水栓本体１２からはＬ字状をなす吐水管１８が延び出している。吐水管１８は、ホルダ部としての吐水パイプ２０と、吐水口２２を先端側に有する吐水ヘッド２４とから成っている。
【００２３】
吐水ヘッド２４には、可撓性のホース２６が接続されており、かかる吐水ヘッド２４がホース２６とともに引出可能に吐水パイプ２０にて保持されている。
ここでホース２６はゴム等の弾性材からなる内側のチューブと、これを外側から被覆する蛇腹形状の可撓性を有する金属管との２重管構造をなしている。
【００２４】
２８は水，湯を水栓本体１２の混合部１６に供給するサプライ管で、それぞれの上端部が混合部１６に接続され、サプライ管２８を通じて湯，水が混合部１６へと供給される。
混合部１６は、供給された湯と水とを所定比率で混合し、混合水を、混合部１６に上端が接続された流出管３０を通じて流出する。
この流出管３０の下端部には上記のホース２６が接続されており、流出管３０を通じて流出された混合水が、ホース２６を通じて上記の吐水ヘッド２４へと導かれる。
【００２５】
混合部１６にはレバーハンドル３２が備えられている。
レバーハンドル３２は、正面形状が円形で逆カップ状をなすハンドル基部３４と、これから延び出したレバー部３６とを有している。
この混合部１６では、レバー部３６を混合部１６の軸方向に回動操作することで吐止水と吐水の流量調節とが行われ、また軸周りにレバー部３６を回動操作することで、混合水即ち吐水の温度調節が行われる。
【００２６】
図２において、３８は混合部１６におけるボデーで、このボデー３８に形成された凹所に弁カートリッジ４０が挿入され、ボデー３８に対して組み付けられている。
ここでボデー３８の凹所の内周面には雌ねじ部４２が形成され、また弁カートリッジ４０の外周面には雄ねじ部４４が形成されていて、それら雌ねじ部４２と雄ねじ部４４とにおいて弁カートリッジ４０がボデー３８にねじ結合されている。
【００２７】
ボデー３８には、その下部と上部とに嵌込孔４６と４８とが設けられており、その下部の嵌込孔４６に、水栓本体１２における支持パイプ５０の上端部が嵌め込まれている。
また上部の嵌込孔４８に、上記の吐水パイプ２０の下端部が嵌め込まれている。
ここで吐水パイプ２０はボデー３８に対し所定角度回転可能とされている。
一方支持パイプ５０には、下端部にカウンター１４における取付穴５２よりも大径のテーパ状をなす着座部５４が設けられおり、支持パイプ５０が、この着座部５４においてカウンター１４の上面に、且つ取付穴５２を覆う状態に着座させられている。
【００２８】
図２において、５６は中空軸体即ち管体をなすホースガイド管で、内側の空間に上記のホース２６を挿通させている。
このホースガイド管５６は、ホース２６の引出し及び収納時の移動案内をなす部材で、水栓本体１２における上記の混合部１６及び支持パイプ５０を貫通する形態で、水栓本体１２から下向きに延び出している。
【００２９】
このホースガイド管５６は、取付穴５２においてカウンター１４を上側（表側）から下側（裏側）に貫通して突き出している。
ホースガイド管５６はまた、その上部が混合部１６を貫通して上向きに突き出しており、その上部が吐水パイプ２０の内部に嵌入せしめられている。
尚この嵌入部分において、ホースガイド管５６と吐水パイプ２０との間には、吐水パイプ２０の回転を円滑に行わせるためのスリーブ５８が介在させられている。
【００３０】
ホースガイド管５６は、ボデー３８の嵌込孔４８内において環状のフランジ部６０を一体に有しており、このフランジ部６０が、嵌込孔４８の底部に着座せしめられている。
従ってホースガイド管５６は、混合部１６のボデー３８にて支持されている。
ボデー３８には、上部の嵌込孔４８と下部の嵌込孔４６との間の部分に、それらに連続した嵌合孔６２を有しており、その嵌合孔６２に、ホースガイド管５６の嵌込孔４６と４８との間の部分が嵌合されている。
【００３１】
ホースガイド管５６は、下部の外周面に雄ねじ部６４が設けられており、そしてその雄ねじ部６４を設けた部分が、取付穴５２においてカウンター１４を貫通し、下向きに突き出している。
更にその突出し部分が、カウンター１４の裏側に配置された、固定金具６６の挿通孔６８を挿通して下向きに突き出し、そしてこの固定金具６６の下側で、補助ガイド管を兼ねた、ホースガイド管５６よりも管径の大きな円筒状の締付ナット７０が、雌ねじ部７２においてホースガイド管５６の雄ねじ部６４に螺合されている。
【００３２】
そしてこの締付ナット７０の上向きのねじ込みにより、固定金具６６がカウンター１４の裏面に着座状態に締め付けられ、固定金具６６にてホースガイド管５６がカウンター１４に固定され、更にホースガイド管５６の固定により、水栓本体１２がカウンター１４から起立した状態にカウンター１４に取付固定されている。
即ちこの実施形態では、ホースガイド管５６が水栓本体１２の固定用軸体を成しており、ホースガイド管５６が固定金具６６にてカウンター１４に固定されることで、水栓本体１２全体がカウンター１４に取付固定されている。
【００３３】
上記固定金具６６は、図５に示しているように一対のアーム７４を有する馬蹄形をなすもので、概略中心部に上記の挿通孔６８が形成されている。
また一対のアーム７４と７４との間に、図４に示しているようにサプライ管２８，流出管３０を挿通する挿通空間を形成している。
この馬蹄形をなす固定金具６６の上面には、周縁に沿って所定間隔で複数の鋭利に尖った突起７６が形成されており、それら突起７６をカウンター１４の裏面に喰い込ませるようになっている。
固定金具６６にはまた、挿通孔６８の内周面から挿通孔６８の求心方向に突出する一対の位置決突起７８が設けられている。
【００３４】
一方ホースガイド管５６には、対応する位置決溝８０が設けられており、それら位置決突起７８と位置決溝８０との嵌合により、固定金具６６とホースガイド管５６との回転方向の相対位置が規定されるようになっている。
尚この固定金具６６は、図３に示しているように下面が傾斜面８２とされている。詳しくはその下面が図中右下がり、つまり混合部１６の突出方向に進むにつれてカウンター１４から離れる方向に傾斜する傾斜面８２とされている。
【００３５】
図３にも示しているように、補助ガイド管を兼ねた円筒形状をなす締付ナット７０には、その下端部に湾曲形状で求心方向（径方向内方）に膨出するガイド部８４が、全周に亘って環状に設けられている。
このガイド部８４は、補助ガイド管を兼ねた締付ナット７０に対してホース２６が出入りする際のガイドをなす部分で、上端部と下端部との各内面が湾曲面８６，９０とされている。
またこの締付ナット７０の下端部の外周面には平坦な切落し形状の係合面９２が形成されており、その係合面９２に工具を係合させることで締付ナット７０を回転操作できるようになしてある。
【００３６】
この実施形態の取付構造では、ホースガイド管５６を取付穴５２においてカウンター１４を貫通して下向きに突き出し、そしてカウンター１４の下側で、ホースガイド管５６を固定金具６６の挿通孔６８に挿通した上で、固定金具６６の下側から補助ガイド管を兼ねた円筒形状の締付ナット７０をホースガイド管５６の雄ねじ部６４に螺合する。
そして締付ナット７０を上向きにねじ込んで、固定金具６６をカウンター１４の裏面に締め付け、かかる固定金具６６にてホースガイド管６４をカウンター１４に固定し、水栓本体１２をカウンター１４から起立した状態にカウンター１４に取付固定することができる。
また吐水ヘッド２４を吐水パイプ２０からホース２６とともに引き出し、或いは再び収納するとき、カウンター１４の下側でホースガイド管５６に対して出入りするホース２６を、締付ナット７０の補助ガイド管としての働きにより円滑に案内することができる。
【００３７】
以上のように本実施形態は、ホースガイド管５６を水栓の固定用軸体を兼ねて構成し、水栓取付けをなすようにしたものであることから、ホースガイド管５６とは別途に専用の固定用軸体を設ける場合に比べて、必要な部材の点数を減らすことができるのに加えて、専用の固定用軸体を通すためのスペースを馬蹄形の固定金具６６に確保しておく必要がない。
その分ホース２６を通すためのスペースを固定金具６６に容易に確保し得、また専用の固定用軸体を省くことができるため、固定金具６６による水栓１０の取付部分をコンパクト化することができる。
【００３８】
また本実施形態では通水用の配管部材を固定用の軸体として用いるものでないことから、固定金具６６による固定に際して、その配管部材に無理な力が加わってこれを破損したり、更には漏水を招いたりする問題も併せて解決することができる。
【００３９】
本実施形態ではまた、カウンター１４の下側で、ホースガイド管５６よりも管径の大きな補助ガイド管としての締付ナット７０を、かかる締付ナット７０がホースガイド管５６よりも下方に突き出す状態に接続し、カウンター１４の下側で補助ガイド管（締付ナット７０）によりホースの出し入れ時の案内を補助するようになしてある。
【００４０】
ホースガイド管５６は、カウンター１４の取付穴５２及び馬蹄形をなす固定金具６６を貫通させる必要のあるものであり、従ってホースガイド管５６は管径をあまり大きくすることができない。
この場合、ホースの出し入れ時において、特にホースガイド管５６の下端に対してホース２６の外面が引っ掛かったり擦れを生じたりし、更にはまたその際に異音を発したりする問題が発生する。
【００４１】
特にホース２６はゴム等の弾性チューブの外面を蛇腹形状をなす金属管で被覆した形態のものであり、蛇腹形状をなす金属管が、ホースガイド管５６の下端を通ってホースガイド管５６に出入りする際に「ジャラジャラ」といったような不快な異音を発生させ易い。
【００４２】
しかるにこの実施形態ではカウンター１４の下側でホースガイド管５６よりも管径の大きい補助ガイド管としての締付ナット７０をホースガイド管５６に接続し、ホース２６の出し入れの際の案内を補助するようになしていることから、上記のような不具合を良好に回避することができる。
【００４３】
本実施形態ではまた補助ガイド管を兼ねた締付ナット７０の下端部に、内方に湾曲した形状で膨出した環状のガイド部８４を設けている。
管径を大きくすることの難しいホースガイド管５６自体に、こうしたガイド部８４を設けておくことは難しいが、ホースガイド管５６よりも管径の大きい補助ガイド管としての締付ナット７０であれば、このようなガイド部８４を設けることは容易であり、且つそのようなガイド部８４を設けておくことで、締付ナット７０へのホース２６の出入りを、締付ナット７０へのホース２６の引っ掛かりや擦れ或いはその際の異音を良好に回避しつつ、円滑に案内することが可能となる。
【００４４】
更に本実施形態では締付ナット７０が補助ガイド管を兼用するように構成してあるため、水栓取付けのための所要部品点数を少なくできるとともに、取付けのための工数を少なくでき、取付作業性が良好となるとともに、水栓取付構造におけるカウンター１４の下側部分を構造簡素となし得て、これをコンパクト化することができる。
【００４５】
以上本発明の実施形態を詳述したが、これはあくまで一例示であり、本発明はその趣旨を逸脱しない範囲において種々変更を加えた形態で構成可能である。
【符号の説明】
【００４６】
１０  ホース収納水栓
１２  水栓本体
１４  カウンター（取付基体）
２０  吐水パイプ（ホルダ部）
２４  吐水ヘッド
５２  取付穴
５６  ホースガイド管
６４  雄ねじ部
６６  固定金具（固定具）
７０  締付ナット
８４  ガイド部
【図１】
0005425971.tif 000002
【図２】
0005425971.tif 000003
【図３】
0005425971.tif 000004
【図４】
0005425971.tif 000005
【図５】
0005425971.tif 000006